(57)【特許請求の範囲】
【請求項１】
荷台の後端に左右二本の支柱を立ち上げ、該両支柱の上端間に手押し操作用の把手を横設し、上記両支柱間にブラケットを横設し、該ブラケットに平ベルトから成る荷掛けベルトの巻取り器を取り付け、該巻取り器から巻出した荷掛けベルトを荷台に積載された荷物に掛け結束を図る構成とした手押し台車において、ドラムケース内に二つの巻取りドラムを同一軸線において回動するように前後に重畳して設けた巻取り器を上記ブラケットに取り付け、上記ドラムケースの上面に上記平ベルトから成る各荷掛けベルトの二つの導出口を開口せしめ、上記平ベルトから成る各荷掛けベルトを各巻取りドラムから巻出した直後に上記各導出口で規制して姿勢を９０度変換し巻出し、該両導出口を通じ巻出した二条の荷掛けベルトを上記荷台上の荷物に掛け結束を図る構成を有することを特徴とする手押し台車。
【請求項２】
上記巻取り器は上記各荷掛けベルトの巻出しを許容し巻取りを阻止するための巻出し用操作具と上記荷掛けベルトの巻取りを許容し巻出しを阻止するための巻出し阻止用操作具とを備え、該両巻出し用操作具と両巻出し阻止用操作具とを上記各巻取りドラム毎に設けると共に上記ドラムケースの上面より露出して設置し手押し操作に供する構成を有することを特徴とする請求項１記載の手押し台車。
【発明の詳細な説明】
【０００１】
【発明の属する技術分野】
本発明は、荷掛けベルトを備えた荷物運搬用の手押し台車に関する。
【０００２】
【従来の技術】
実開平６−６７２５５号公報や特許第３０１４３５３号公報においては、荷台の後端に手押し操作用の把手を立ち上げ、荷台の下面に巻取り器を取り付け、該巻取り器から巻出した荷掛けベルトを荷台上の荷物に掛け回してベルト端を上記把手に係止し、荷崩れを防止するようにした手押し台車を提供している。
【０００３】
【発明が解決しようとする課題】
然しながら従来の手押し台車においては、巻取り器が荷台の下面と路面間の限定されたスペースへ向け突出しているために、運行中に路面や床面の段差に接触し運行の支障となったり、該巻取り器を損傷する欠点を有する。又路面や床面に接近する荷台下面に取り付けられた巻取り器から荷掛けベルトを巻出さねばならず、作業性が悪い欠点を有し、又ベルトの引き出し長が徒に長くなる欠点を有している。
【０００４】
【課題を解決するための手段】
本発明は上記把手を立ち上げる左右二本の支柱間に荷掛けベルトの巻取り器を取り付け、該巻取り器から荷掛けベルトを巻出して荷台に積載された荷物に掛け回し結束を図る構成として、上記荷台下面に巻取り器を配した従来の手押し台車の問題点を解消した。
詳述すると、上記荷台の後端に左右二本の支柱を立ち上げ、該両支柱の上端間に手押し操作用の把手を横設し、上記両支柱間にブラケットを横設し、該ブラケットに平ベルトから成る荷掛けベルトの巻取り器を取り付け、該巻取り器から巻出した荷掛けベルトを荷台に積載された荷物に掛け結束を図る構成とした手押し台車において、ドラムケース内に二つの巻取りドラムを同一軸線において回動するように前後に重畳して設けた巻取り器を上記ブラケットに取り付け、上記ドラムケースの上面に上記平ベルトから成る各荷掛けベルトの二つの導出口を開口せしめ、上記平ベルトから成る各荷掛けベルトを各巻取りドラムから巻出した直後に上記各導出口で規制して姿勢を９０度変換し巻出し、該両導出口を通じ巻出した二条の荷掛けベルトを上記荷台上の荷物に掛け結束を図る構成にしたものである。
又上記巻取り器は上記各荷掛けベルトの巻出しを許容し巻取りを阻止するための巻出し用操作具と上記荷掛けベルトの巻取りを許容し巻出しを阻止するための巻出し阻止用操作具とを備え、該両巻出し用操作具と両巻出し阻止用操作具とを上記各巻取りドラム毎に設けると共に上記ドラムケースの上面より露出して設置し手押し操作に供する構成にしたものである。
【０００５】
【発明の実施の形態】
図１乃至図５に示すように、手押し台車は荷台１を有し、該荷台１の下面４コーナー部に車輪を設けて台車を構成しており、更に該荷台１の後端から左右２本の支柱２を立ち上げ、該支柱２の上端間に把手３を横設し手押し台車を構成している。作業者は該把手３を握り台車を運行することができる。
【０００６】
上記両支柱２間に荷掛けベルト４の巻取り器５を取り付け、該巻取り器５から巻出した荷掛けベルト４を荷台１に積載された荷物６に掛け結束を図る構成とした。ここに荷掛けベルト４とは平ベルトである。
【０００７】
詳例について説明すると、上記支柱２間に取付板又は取付バーの如きブラケット７を横設し、好ましくはブラケット７の両端を螺子８にて支柱２に締結する螺子締め継手を介して着脱可に支柱２間に横設し、このブラケット７の後面（手押し作業者側）に上記巻取り器５を螺子締めにて着脱可に取り付け、該巻取り器５から巻出した荷掛けベルト４を荷台１上の荷物６に掛け、ベルト４の端部に設けた掛け止め部９を荷台１の前端縁等に係止して結束状態を維持する。又この係止を解除することにより巻取り器５により自動巻取りする。
【０００８】
この巻取り器５の原理は既知のものを使用でき、図４，図５に示すように、ドラムケース１１内の巻取りドラム１０内に内蔵した渦巻バネにより常にベルト巻取り方向に付勢しており、この渦巻バネの弾力に抗してドラム１１を回転させつつベルト４を引っ張り出し、同バネの弾力に従い自動巻取りできるようにしている。
【０００９】
上記巻取りドラム１０と一体に共軸回転する爪車１２をドラムケース１１内に内蔵し、該爪車１２の上部周面と対向して中央部を揺動可に軸支した揺動爪１４を設ける。該揺動爪１４は両端に係止爪１３ａ，１３ｂを有する。
【００１０】
他方揺動爪１４の一端を押圧する巻出し用操作具１５と、同他端を押圧する巻出し阻止用操作具１６を設け、該操作具１５，１６の端部をドラムケース１１の上面より露出して設置し手押し操作に供する。
【００１１】
図４に示すように、巻出し用操作具１５を押圧し揺動爪１４の一端を押圧すると、揺動爪１４は一方向に揺動し、係止爪１３ａを爪車１２の歯に係合すると同時に、巻出し阻止用操作具１６を押し上げて係止爪１３ｂの係合状態を解除する。
【００１２】
この係合状態において係止爪１３ａは爪車１２のベルト巻出し方向の回転を許容（係止爪１３ａは爪車１２の歯を斜面により滑って乗り越え、歯とは係合しない）し、巻取り方向の回転を阻止する。
【００１３】
逆に図５に示すように、巻出し阻止用操作具１６を押圧し揺動爪１４の他端を押圧すると、揺動爪１４は他方向に揺動し、係止爪１３ｂを爪車１２の歯に係合すると同時に、巻出し用操作具１５を押し上げて係止爪１３ａの係合状態を解除する。
【００１４】
この係合状態において係止爪１３ｂは爪車１２のベルト巻出し方向の回転を阻止し、渦巻バネによる巻取り方向の回転を許容（係止爪１３ｂは爪車１２の歯を斜面により滑って乗り越え、歯とは係合しない）する。
【００１５】
又揺動爪１４の中央部に突起１７を設け、該突起１７にバネ１８により加圧接触する制動爪１９を設け、巻出し用操作具１５を押圧した時に突起１７がバネ１８に抗して制動爪１４を後退させつつ、突起１７の一側面から他側面へ乗り越えてバネ１８により他側面との係合状態を保持し、上記係止爪１３ａによる係合状態を保持する。即ち揺動爪１４の一方向への揺動姿勢を保持し、係止爪１３ａによる係合状態を安定に保持する節度機構を有する。
【００１６】
逆に巻出し阻止用操作具１６を押圧した時に突起１７がバネ１８に抗して制動爪１４を後退させつつ、突起１７の他側面から一側面へ乗り越えてバネ１８により一側面との係合状態を保持し、上記係止爪１３ｂによる係合状態を保持する。即ち揺動爪１４の他方向への揺動姿勢を保持し、係止爪１３ｂによる係合状態
安定に保持する節度機構を有する。
【００１８】
図１乃至図３に示すように、上記ドラムケース１１内に二つの巻取りドラム１０を同一軸線において回動するように前後に重畳して設け、各ドラム１０において荷掛けベルト４を巻出し、巻取り可能にし、巻出した二条のベルト４を台車の荷台１上の荷物６に掛けることができるようにする。この場合にはドラムケース１１の上面に各ベルト４の二つの導出口２０を開口せしめる。
【００１９】
又一対の巻取りドラム１０を設ける場合には、各ドラム１０と一体に一対の爪車１２を設け、前記揺動爪１４と操作具１５，１６を各ドラム１０毎に設ける。即ち前記した構成に従い、前記した各荷掛けベルト４の巻出しを許容し巻取りを阻止するための巻出し用操作具１５は上記各巻取りドラム１０毎に設けると共に、前記した各荷掛けベルト４の巻取りを許容し巻出しを阻止するための巻出し阻止用操作具１６は上記各巻取りドラム１０毎に設け、該両巻出し用操作具１５と両巻出し阻止用操作具１６とを上記ドラムケース１１の上面より露出して設置し、上記両巻取りドラム１０から上記両導出口２０を通じ巻出した二条の荷掛けベルト４を上記荷台１上の荷物６に掛け結束を図る構成を有する。
【００２０】
上記荷掛けベルト４が平ベルトである場合には、ドラムから巻出された直後に導出口２０に規制されて姿勢が９０度変換されて巻出される。
【００２１】
【発明の効果】
本発明によれば従来例における荷台と路面間の僅かなスペースに巻取り器を設けた場合の問題点を有効に解消し、把手を操作する作業者が把手の直下に存する巻取り器からベルトを巻出し、作業性良く荷掛け作業を行うことができ、運行時における巻取り器の損傷を有効に防止できる。加えてベルトの引き出し長を最小限にして効果的な結束力を得ることができる。
【図面の簡単な説明】
【図１】  手押し台車の背面図。
【図２】  同側面図。
【図３】  同平面図。
【図４】  上記手押し台車のベルト巻取り器の原理構造をベルト巻出し許容状態を以って示す平面図。
【図５】  上記手押し台車のベルト巻取り器の原理構造をベルト巻取り阻止状態を以って示す平面図。
【図１】
0003941913.tif 000002
【図２】
0003941913.tif 000003
【図３】
0003941913.tif 000004
【図４】
0003941913.tif 000005
【図５】
0003941913.tif 000006